【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】 ｚ軸に沿って拡がっていて、多重スライスのデータを収集するように構成された多数の検出器セルで構成された検出器と、
該検出器から受取った信号をディジタル形式に変換するように構成されたスケーラブル・データ収集装置と、を有し、
前記スケーラブル・データ収集装置が、各々が複数のチャンネルを有している複数の変換器ボードを備えており、
前記チャンネルと前記検出器セルは、帯状のアーティファクトの起こり易さを低下する織込みによる結合がなされており、前記変換器ボードの縁で前記織込みによる結合がなされている、イメージング・システム。
【請求項２】 更に、前記検出器と整合したＸ線源と、該ｘ線源及び前記検出器の間に配置されたカム・コリメータとを含んでいる請求項１記載のイメージング・システム。
【請求項３】 更に、ガントリーを含み、前記検出器及び前記スケーラブル・データ収集装置が前記ガントリーに結合されている請求項１記載のイメージング・システム。
【請求項４】 更に、スリップリングと、走査及び再構成制御装置とを含み、前記スリップリングが前記スケーラブル・データ収集装置からのデータの前記走査及び再構成制御装置への伝送を容易にするように構成されている請求項３記載のイメージング・システム。
【請求項５】 更に、ユーザが走査パラメータを選択することが出来るようにするユーザ・インターフェースを含み、該ユーザ・インターフェースは螺旋走査及び軸方向走査に対する選択可能な走査パラメータを有し、該走査パラメータが多重スライス走査に対するスライス厚さを含んでいる請求項１記載のイメージング・システム。
【請求項６】 螺旋走査の為に、前記走査パラメータが更に走査速度を含んでいる請求項５記載のイメージング・システム。
【請求項７】 螺旋走査の為に、前記走査パラメータが高画質走査モードを含んでいる請求項５記載のイメージング・システム。
【請求項８】 螺旋走査の為に、前記走査パラメータが高速走査モードを含んでいる請求項５記載のイメージング・システム。
【請求項９】 螺旋走査の為に、前記走査パラメータが走査速度、高画質走査モード及び高速走査モードを含んでいる請求項５記載のイメージング・システム。
【請求項１０】 軸方向走査の為に、前記走査パラメータが１回転当たりの画像の数を含んでいる請求項５記載のイメージング・システム。
【請求項１１】 前記検出器が複数個のモジュールで構成されている請求項１記載のイメージング・システム。
【請求項１２】 前記モジュールの内の少なくとも１つがシンチレータ配列及びフォトダイオード配列を有し、該シンチレータ配列が前記フォトダイオード配列の上に配置されて、前記フォトダイオード配列に光学的に結合されている請求項１１記載のイメージング・システム。
【請求項１３】 前記フォトダイオード配列のフォトダイオードから出力される信号が、選択されたスライス厚さ及びスライス数の少なくても一方に基づいて、選択的に組合せ可能である請求項１２記載のイメージング・システム。
【請求項１４】 ｘ線源と、
前記データ収集装置に結合されたスリップリングと、
前記スリップリングに結合されていて、前記データ収集装置から前記スリップリングを介して伝送されてきたデータから画像データを作成するように構成されている走査及び再構成制御装置と、を更に有し、
前記検出器が前記ｘ線源と整合している、請求項１記載のイメージング・システム。
【請求項１５】 更に、前記ｘ線源および前記検出器の間に配置されたカム・コリメータを含んでいる請求項１４記載のイメージング・システム。
【請求項１６】 更にガントリーを含み、前記ｘ線源、前記検出器及び前記スケーラブル・データ収集装置が該ガントリーに結合されている請求項１４記載のイメージング・システム。
【請求項１７】 更に、ユーザが走査パラメータを選択することが出来るようにするユーザ・インターフェースを含み、該ユーザ・インターフェースは螺旋及び軸方向走査に対する選択可能な走査パラメータを有し、該走査パラメータが多重スライス走査に対するスライスの厚さを含んでいる請求項１４記載のイメージング・システム。
【請求項１８】 螺旋走査の為に、前記走査パラメータが走査速度、高画質走査モード及び高速走査モードの内の少なくとも１つを含んでいる請求項１７記載のイメージング・システム。
【請求項１９】 軸方向走査の為に、前記走査パラメータが更に１回転当たりの画像の数を含んでいる請求項１７記載のイメージング・システム。
【請求項２０】 更に、前記走査及び再構成制御装置に結合されたホスト・コンピュータを含んでいる請求項１４記載のイメージング・システム。
【請求項２１】 更に、選択されたスライス厚さ及びスライス数の内の少なくとも一方に基づいて、前記ｘ線ビームをコリメートする患者手前コリメータを含んでおり、該患者手前コリメータ及び前記検出器が前記ホスト・コンピュータに結合されていて、選択されたスライス数及び選択されたスライス厚さの内の少なくとも一方に基づいて構成しうるようになっている請求項２０記載のイメージング・システム。
【請求項２２】 オペレータが走査パラメータを定めることが出来るようにするユーザ・インターフェースを含んでいて、該走査パラメータがデータ収集スライス厚さ及びスライス数を含んでいるホスト・コンピュータを更に有し、前記ホスト・コンピュータは前記検出器に結合されて、オペレータが定めた前記走査パラメータに基づいて前記検出器を構成するようになっていること、を特徴とする請求項１記載のイメージング・システム。
【請求項２３】 更に、前記ホスト・コンピュータに結合された患者手前コリメータを含み、該患者手前コリメータは少なくとも１つの調節自在のカムを含むカム・コリメータを有する請求項２２記載のイメージング・システム。
【請求項２４】 前記カム・コリメータが少なくとも２つの調節自在のカムを有する請求項２３記載のイメージング・システム。
【請求項２５】 前記検出器が複数個のモジュールを有し、該モジュールの内の少なくとも１つがシンチレータ配列及びフォトダイオード配列を有し、該シンチレータ配列が前記フォトダイオード配列の上に配置されている請求項２２記載のイメージング・システム。
【請求項２６】 前記フォトダイオード配列のフォトダイオードから出力された信号が、選択されたスライス厚さ及びスライス数の内の少なくとも一方に基づいて、選択的に組合せ可能である請求項２５記載のイメージング・システム。
【請求項２７】 ｘ線源と、
前記データ収集装置に結合されたスリップリングと、
前記スリップリングに結合されていて、前記データ収集装置から前記スリップリングを介して伝送されてきたデータから画像データを作成するように構成されている走査及び再構成制御装置と、
前記走査及び再構成制御装置に結合されていて、ユーザーが走査パラメータを選択することが出来るようにするユーザ・インターフェースを持つホスト・コンピュータとを更に有し、
前記ユーザ・インターフェースは螺旋及び軸方向走査に対する選択可能な走査パラメータを有し、該走査パラメータが多重スライス走査に対するスライス厚さを含んでおり、
前記検出器が前記ｘ線源と整合していること、を特徴とする請求項１記載のイメージング・システム。
【請求項２８】 更に、前記ｘ線源及び前記検出器の間に配置されたカム・コリメータを含んでいる請求項２８記載のイメージング・システム。
【請求項２９】 更にガントリーを含み、前記ｘ線源、前記検出器及び前記スケーラブル・データ収集装置が前記ガントリーに結合されている請求項２８記載のイメージング・システム。
【請求項３０】 螺旋走査の為に、前記走査パラメータが走査速度、高画質走査モード及び高速走査モードの内の少なくとも１つを含んでいる請求項２８記載のイメージング・システム。
【請求項３１】 軸方向走査の為に、前記走査パラメータが１回転当たりの画像の数を含んでいる請求項２８記載のイメージング・システム。
【請求項３２】 更に、選択されたスライス厚さ及びスライス数の少なくとも一方に基づいて、ｘ線ビームをコリメートする患者手前コリメータを含み、該患者手前コリメータ及び前記検出器は前記ホスト・コンピュータに結合され、選択されたスライス数及び選択されたスライス厚さの少なくとも一方に基づいて構成し得るようになっている請求項２８記載のイメージング・システム。
【請求項３３】 各変換器ボードがエイリアシング防止フィルタとアナログ−ディジタル変換（ＡＤＣ）を備えている請求項１乃至３３のいずれかに記載のイメージング・システム。